(57)【要約】      （修正有）【課題】歯の隙間に達し、弾力があり歯の隙間に応じて変形するため、歯間の歯石等を除去する、または清掃するのに有利な歯の清掃器を提供する。【解決手段】第１領域１０１と、第２領域１０２と、第１領域１０１と第２領域１０２に連結された中間領域１０３を備える細長部品１０からなる。第１領域１０１には歯清掃辺２１が設けられ、中間領域１０３の厚みは第１領域１０１と第２領域１０２より大きいため、細長部品１０は弾力を備え変形することができる。中間領域１０３は、細長部品１０の一端が平らにまっすぐ延在する時歯清掃辺２１を支えることができる。使用者は使用時に細長部品１０の中間領域１０３または第２領域１０２を持ち、歯清掃辺２１を細長部品１０の一端にまっすぐ突き出すことで扱いやすくなり、歯清掃辺２１が使用者の歯の隙間に達する。歯清掃辺２１は弾力があり使用者の歯の隙間に応じて変形する。【選択図】図１
0003215009.tif 000002
【実用新案登録請求の範囲】
【請求項１】
第１領域と、第２領域と、前記第１領域と第２領域に連結された中間領域を備える細長部品からなる歯の清掃器であって、
前記第１領域には歯清掃辺が設けられ、前記中間領域の厚みは前記第１領域と第２領域より大きいため、前記細長部品は弾力を備え変形し、さらに前記中間領域は、細長部品の一端が平らにまっすぐ延在する時、前記歯清掃辺を支えることを特徴とする、歯の清掃器。
【請求項２】
前記第２領域には歯清掃先端部が設けられることを特徴とする、請求項１に記載の歯の清掃器。
【請求項３】
前記歯清掃先端部は、湾曲した形の歯清掃先端部になることを特徴とする、請求項１に記載の歯の清掃器。
【請求項４】
前記第２領域には前記歯清掃辺が設けられ、前記第１領域、第２領域の歯清掃辺は、可撓性歯清掃辺及び弾力性歯清掃辺のうちの１つになることを特徴とする、請求項１に記載の歯の清掃器。
【請求項５】
前記中間領域には連結板及び連結柱のうちの１つが設けられることを特徴とする、請求項１或いは請求項２或いは請求項３或いは請求項４に記載の歯の清掃器。
【請求項６】
前記歯清掃辺は、長方形の歯清掃辺、多角形の歯清掃辺、三角形の歯清掃辺、菱形の歯清掃辺、半円形の歯清掃辺、円弧形の歯清掃辺、フィッシュボーン型の歯清掃辺、かぎ形の歯清掃辺のうちの１つになることを特徴とする、請求項５に記載の歯の清掃器。
【請求項７】
前記長方形の歯清掃辺の一側の厚みは、前記長方形の歯清掃辺の他側にかけて徐々に小さくなることを特徴とする、請求項６に記載の歯の清掃器。
【請求項８】
前記歯清掃辺上の前記中間領域から離れた位置には、陥入辺及びギザギザ辺のうちの少なくとも１つが設けられることを特徴とする、請求項５に記載の歯の清掃器。
【請求項９】
前記歯清掃辺の厚みは、前記歯清掃辺の前記中間領域と隣接する位置から、前記歯清掃辺の前記中間領域から離れた位置にかけて徐々に小さくなることを特徴とする、請求項５に記載の歯の清掃器。
【請求項１０】
前記歯清掃辺の表面には、複数の細溝及び複数の凸点のうちの少なくとも１つが設けられることを特徴とする、請求項５に記載の歯の清掃器。
【請求項１１】
前記細長部品は複数になり、２つの細長部品の第１領域と第２領域の間は、切断可能部によって互いに連結されて一体化することで、前記複数の細長部品は、共に巻き付けられ環状になることを特徴とする、請求項５に記載の歯の清掃器。
【請求項１２】
前記連結板及び連結柱のうちの１つの表面には、少なくとも１つの前記第１領域、第２領域の方向に向かって延在する凸リブが設けられることを特徴とする、請求項５に記載の歯の清掃器。
【考案の詳細な説明】
【技術分野】
【０００１】
本考案は歯の清掃器に関し、特に、扱いやすく、歯の隙間に達し、弾力があり歯の隙間に応じて変形するため、歯間の歯石等を除去するまたは清掃するのに有利である、特に前記歯の清掃器と関連のある細長部品と歯清掃辺に関する。
【背景技術】
【０００２】
少なくとも一端の先端が細長い柱状である構造によって使用者が歯間の歯石等を除去するまたは歯の隙間を清掃する爪楊枝の構造は、すでに周知の技術である。このタイプの爪楊枝商品における構造設計と使用面の課題の１つは、細長い柱状の構造の爪楊枝は、長い間昔ながらの構造型態と形のままであるため、その先端が多くの使用者の狭い歯の隙間に入りにくい上、比較的使用者の歯の隙間、歯茎を傷つけやすく、歯の隙間の清掃效果が減少する。
【０００３】
さらに、軟質の平板型デンタルフロスからなる従来のデンタルフロス構造は、このタイプの平板型デンタルフロスは、多くの使用者の狭い歯の隙間に入るが、平板型デンタルフロス自体が柔らかすぎるため、両手で平板型デンタルフロスを動かして歯間の歯石等を除去するまたは歯を清掃しなければならず、扱い方や使用において不便である。これに鑑みて、関連領域において長年研究を行い実務経験を積んできた本考案者は、上述の従来技術の欠点を改善する歯の清掃器を考案する。
【考案の概要】
【考案が解決しようとする課題】
【０００４】
本考案は、歯の清掃器を提供することを目的とする。
【課題を解決するための手段】
【０００５】
第１領域と、第２領域と、前記第１領域と第２領域と連結された中間領域を備える細長部品からなり、前記第１領域には歯清掃辺が設けられる。前記中間領域の厚みは前記第１領域と第２領域より大きいため、前記細長部品は弾力を備え、変形することができる。さらに前記中間領域は、細長部品の一端が平らにまっすぐ延在する時、前記歯清掃辺を支えることができる。
【考案の効果】
【０００６】
上述の構造により、使用者は、使用時に前記細長部品の中間領域または第２領域を持ち、前記歯清掃辺を前記細長部品の一端にまっすぐ突き出すことで、扱いやすくなり、前記歯清掃辺が使用者の歯の隙間に達する。前記歯清掃辺は弾力があり、使用者の歯の隙間に応じて変形するため、歯間の歯石等を除去するまたは清掃するのに有利であり、使用上の利便性及び実用効果が向上する。さらに、従来の爪楊枝に存在する先端が歯の隙間に達しにくく、歯の隙間や歯茎を傷つけやすいという欠点が改善されるとともに、従来のデンタルフロスに存在する柔らかすぎて扱いにくいという欠点も改善される。
【図面の簡単な説明】
【０００７】
【図１】本考案の比較的好ましい実施例における斜視図である。
【図２】図１に実施形態を付け加えた図である。
【図３】図１に別の実施形態を付け加えた図である。
【図４】図１にさらに別の実施形態を付け加えた図である。
【図５】図１にさらに別の実施形態を付け加えた図である。
【図６】図１にさらに別の実施形態を付け加えた図である。
【図７】図１に修正された実施形態を付け加えた図である。
【図８】図７に実施形態を付け加えた図である。
【図９】図１に別の修正された実施形態を付け加えた図である。
【図１０】図９に実施形態を付け加えた図である。
【図１１】図９に修正された実施形態を付け加えた図である。
【図１２】図１１に実施形態を付け加えた図である。
【考案を実施するための形態】
【０００８】
図１は、本考案の歯の清掃器の一実施形態を示す。上述の図の説明の通り、本考案の歯の清掃器は細長部品１０からなり、前記細長部品１０は、第１領域１０１と、第２領域１０２と、前記第１領域１０１と第２領域１０２に連結された中間領域１０３を備える。
【０００９】
採用した比較的好ましい実施例において、前記細長部品１０は、可撓性または弾力性を備えるプラスチック材料によって製造することができ、前記細長部品１０の第１領域１０１は歯清掃辺２１を設け、前記細長部品１０の第２領域１０２にも前記歯清掃辺２１（図６と図９に図示）を設けることができることで、前記細長部品１０の第１領域１０１と第２領域１０２の歯清掃辺２１は、可撓性歯清掃辺または弾力性歯清掃辺となる。前記細長部品１０の中間領域１０３の厚みは、前記第１領域１０１と第２領域１０２の厚みより大きいことで、前記細長部品１０は弾力性を備え変形し、従来のデンタルフロスのように柔らかすぎて扱いにくいということはない。さらに前記中間領域１０３は、前記細長部品１０の一端が平らにまっすぐ延在する時前記歯清掃辺２１を支えることができる。
【００１０】
図１に示す通り、前記歯清掃辺２１は、長方形の歯清掃辺（例えば台形）または多角形の歯清掃辺（例えば五角形、六角形）にすることができ、両側にはそれぞれ直辺２０１及び斜辺２０２が設けられるとともに、歯清掃辺２１の前記中間領域１０３から離れた位置には前記直辺２０１と斜辺２０２に連結された平直辺２０３が設けられる。前記歯清掃辺２１の厚みは、前記歯清掃辺２１の前記中間領域１０３と隣接する位置から、前記歯清掃辺２１の前記中間領域１０３から離れた位置（歯清掃辺２１の末端）にかけて徐々に小さくなる。前記細長部品１０の第２領域１０２には歯清掃先端部３１が設けられ、前記中間領域１０３には連結柱４が設けられ、前記連結柱４の両端は、それぞれ前記歯清掃辺２１と歯清掃先端部３１に連結される。前記連結柱４の表面には、少なくとも１つの前記第１領域１０１、第２領域１０２の方向に向かって延在する凸リブ４１が設けられることで、前記連結柱４の構造強度が高まる。
【００１１】
理解できるように、使用者は、使用時に前記細長部品１０の中間領域１０３における連結柱４且つ／或いは第２領域１０２の歯清掃先端部３１を持つことができ、前記歯清掃辺２１が前記細長部品１０の一端にまっすぐ突き出ることで、扱いやすくなり前記細長部品１０の第１領域１０１の歯清掃辺２１が使用者の歯の隙間に達する。前記歯清掃辺２１は弾力があるため、使用者の歯の隙間に応じて変形し、歯間の歯石等を除去するまたは清掃するのに便利であるとともに、前記細長部品１０の第２領域１０２の歯清掃先端部３１を用いて歯の周囲に挟まった比較的硬い食べかすを除去したり清掃したりする必要があることを目で見ることができる。よって、使用上の利便性及び実用効果が向上する。
【００１２】
参照する図２に示す通り、前記歯清掃辺２２は三角形の歯清掃辺にすることもでき、両側にはそれぞれ斜辺２０２が設けられる。参照する図３に示す通り、前記歯清掃辺２３は半円形の歯清掃辺にすることもでき、前記歯清掃辺２３の前記中間領域１０３から離れた位置には半円形辺２０４が設けられる。参照する図４に示す通り、前記歯清掃辺２４はフィッシュボーン型の歯清掃辺にすることもでき、両側にはそれぞれフィッシュボーン型のシルエットをもつ構造の連続凹凸斜辺２０５が設けられる。
【００１３】
参照する図５に示す通り、前記歯清掃辺２５は菱型の歯清掃辺にすることもでき、両側にはそれぞれ屈曲辺２０６が設けられる。図５にも示す通り、前記細長部品１０の第２領域１０２の歯清掃先端部３２は、湾曲した形の歯清掃先端部にすることもできる。
【００１４】
参照する図６に示す通り、前記長方形の歯清掃辺２１の両側には、それぞれ直辺２０１が設けられ、さらに前記長方形の歯清掃辺２１の一側の厚みは、前記長方形歯清掃辺２１の他側にかけて徐々に小さくなる。図６にも示す通り、前記細長部品１０の第２領域１０２の歯清掃辺２６は、かぎ形の歯清掃辺にすることもでき、両側にはそれぞれ外円弧辺２０７及び内円弧辺２０８が設けられるとともに、前記歯清掃辺２６における前記中間領域１０３から離れた位置には、前記外円弧辺２０７と内円弧辺２０８に連結された鋭角辺２０９が設けられる。
【００１５】
参照する図７と図８に示す通り、前記長方形の歯清掃辺２１の両側には、それぞれ斜辺２０２が設けられ、前記歯清掃辺２１上の前記中間領域１０３から離れた位置（例えば長方形の歯清掃辺２１の平直辺２０３）には、陥入辺２１０を設けることもできる。前記歯清掃辺２１の全領域の厚みは同じであることもできる。図８に示す通り、前記歯清掃辺２１の表面には、複数の細溝２１１を設けることもできる。
【００１６】
参照する図９に示す通り、前記細長部品１００の第１領域１０１と第２領域１０２には、それぞれ歯清掃辺２７、２１が設けられるとともに、前記細長部品１００における中間領域１０３には、連結板５が設けられることで、前記連結板５の両端にはそれぞれ前記歯清掃辺２１、２７が連結される。前記細長部品１００の第１領域１０１の歯清掃辺２７は、円弧形の歯清掃辺にすることができ、さらに前記歯清掃辺２７の表面には複数の凸点２１２を設けることができる。前記細長部品１００の第２領域１０２の歯清掃辺２１は、長方形の歯清掃辺にすることができるとともに、長方形の歯清掃辺２１における平直辺２０３には陥入辺２１０が設けられる。
【００１７】
参照する図１０に示す通り、前記細長部品１００の第１領域１０１の歯清掃辺２１は、長方形の歯清掃辺にすることができ、さらに前記歯清掃辺２１上の前記中間領域１０３から離れた位置には、ギザギザ辺２１３が設けられる。前記細長部品１００の第２領域１０２の歯清掃辺２２は、三角形の歯清掃辺になる。
【００１８】
上述の直辺２０１、斜辺２０２、平直辺２０３、半円形辺２０４、連続凹凸斜辺２０５、屈曲辺２０６、外円弧辺２０７、内円弧辺２０８、鋭角辺２０９、陥入辺２１０、細溝２１１、凸点２１２、ギザギザ辺２１３はすべて、歯についた食べかすを掻き出すまたは清掃するのに有利である。
【００１９】
参照する図１１に示す通り、前記細長部品１００の第１領域１０１と第２領域１０２には、それぞれ長方形の歯清掃辺２１が設けられるとともに、細長部品１００の中間領域１０３には、連結板５が設けられる。さらに、前記細長部品１００は複数にすることができ、２つの細長部品１００の第１領域１０１における歯清掃辺２１と、第２領域１０２における歯清掃辺２１の間は、切断可能部２１４によって互いに連結されて一体化することができ、前記複数の細長部品１００は、共に巻き付けられ環状になる。参照する図１２に示す通り、前記細長部品１００の第１領域１０１には、三角形の歯清掃辺２２が設けられ、前記第２領域１０には、長方形の歯清掃辺２１が設けられ、２つの細長部品１００の三角形の歯清掃辺２１と長方形の歯清掃辺２１の間は、前記切断可能部２１４によって互いに連結されて一体化するとともに、複数の細長部品１００が共に巻き付けられて環状になる。よって、巻き付けられて環状になった複数の互いに連結された細長部品１００は、巻き取りケース６内に収容することができ、使用時に前記巻き付けられて環状になった最も外側の細長部品１００を前記巻き取りケース６内から取り出し、さらに前記最も外側の細長部品１００を前記切断可能部２１４により折ることで使用できる。前記細長部品１００の歯清掃辺２１、２２を動かすことで歯間の歯石等を除去し、歯を清掃する。収容空間を省スペース化することができ、簡単で取り出しやすいという效果を備える。
【符号の説明】
【００２０】
１０、１００  細長部品
１０１  第１領域
１０２  第２領域
１０３  中間領域
２０１  直辺
２０２  斜辺
２０３  平直辺
２０４  半円形辺
２０５  連続凹凸斜辺
２０６  屈曲辺
２０７  外円弧辺
２０８  内円弧辺
２０９  鋭角辺
２１０  陥入辺
２１１  細溝
２１２  凸点
２１３  ギザギザ辺
２１４  切断可能部
２１、２２、２３、２４、２５、２６、２７  歯清掃辺
３１、３２  歯清掃先端部
４      連結柱
４１    凸リブ
５      連結板
６      巻き取りケース
【図１】
0003215009.tif 000003
【図２】
0003215009.tif 000004
【図３】
0003215009.tif 000005
【図４】
0003215009.tif 000006
【図５】
0003215009.tif 000007
【図６】
0003215009.tif 000008
【図７】
0003215009.tif 000009
【図８】
0003215009.tif 000010
【図９】
0003215009.tif 000011
【図１０】
0003215009.tif 000012
【図１１】
0003215009.tif 000013
【図１２】
0003215009.tif 000014
【手続補正書】
【提出日】平成29年12月15日(2017.12.15)
【手続補正１】
【補正対象書類名】実用新案登録請求の範囲
【補正対象項目名】全文
【補正方法】変更
【補正の内容】
【実用新案登録請求の範囲】
【請求項１】
第１領域と、第２領域と、前記第１領域と第２領域に連結された中間領域を備える細長部品からなる歯の清掃器であって、
前記第１領域には歯清掃辺が設けられ、前記中間領域の厚みは前記第１領域と第２領域より大きいため、前記細長部品は弾力を備え変形し、さらに前記中間領域は、細長部品の一端が平らにまっすぐ延在する時、前記歯清掃辺を支えることを特徴とする、歯の清掃器。
【請求項２】
前記第２領域には歯清掃先端部が設けられることを特徴とする、請求項１に記載の歯の清掃器。
【請求項３】
前記歯清掃先端部は、湾曲した形の歯清掃先端部になることを特徴とする、請求項２に記載の歯の清掃器。
【請求項４】
前記第２領域には前記歯清掃辺が設けられ、前記第１領域、第２領域の歯清掃辺は、可撓性歯清掃辺及び弾力性歯清掃辺のうちの１つになることを特徴とする、請求項１に記載の歯の清掃器。
【請求項５】
前記中間領域には連結板及び連結柱のうちの１つが設けられることを特徴とする、請求項１或いは請求項２或いは請求項３或いは請求項４に記載の歯の清掃器。
【請求項６】
前記歯清掃辺は、長方形の歯清掃辺、多角形の歯清掃辺、三角形の歯清掃辺、菱形の歯清掃辺、半円形の歯清掃辺、円弧形の歯清掃辺、フィッシュボーン型の歯清掃辺、かぎ形の歯清掃辺のうちの１つになることを特徴とする、請求項５に記載の歯の清掃器。
【請求項７】
前記長方形の歯清掃辺の一側の厚みは、前記長方形の歯清掃辺の他側にかけて徐々に小さくなることを特徴とする、請求項６に記載の歯の清掃器。
【請求項８】
前記歯清掃辺上の前記中間領域から離れた位置には、陥入辺及びギザギザ辺のうちの少なくとも１つが設けられることを特徴とする、請求項５に記載の歯の清掃器。
【請求項９】
前記歯清掃辺の厚みは、前記歯清掃辺の前記中間領域と隣接する位置から、前記歯清掃辺の前記中間領域から離れた位置にかけて徐々に小さくなることを特徴とする、請求項５に記載の歯の清掃器。
【請求項１０】
前記歯清掃辺の表面には、複数の細溝及び複数の凸点のうちの少なくとも１つが設けられることを特徴とする、請求項５に記載の歯の清掃器。
【請求項１１】
前記細長部品は複数になり、２つの細長部品の第１領域と第２領域の間は、切断可能部によって互いに連結されて一体化することで、前記複数の細長部品は、共に巻き付けられ環状になることを特徴とする、請求項５に記載の歯の清掃器。
【請求項１２】
前記連結板及び連結柱のうちの１つの表面には、少なくとも１つの前記第１領域、第２領域の方向に向かって延在する凸リブが設けられることを特徴とする、請求項５に記載の歯の清掃器。